(57)【要約】      （修正有）【課題】フェンス類において、各柵部材に外力が加わり変位を生じたときにこれを吸収して、接続を維持し得るエキスパンションジョイント装置を提供する。【解決手段】エキスパンションジョイント装置について、第１の設置箇所１１に設置した第１の支柱１３及び第２の設置箇所１２に設置した第２の支柱１４と、第１の支柱に取り付けた第１の柵部材、第２の支柱に取り付けた第２の柵部材及び第１の柵部材に一端部にて接続し、第２の柵部材に他端部にて接続した第３の柵部材と、第１の柵部材と第３の柵部材の接続部、第２の柵部材と第３の柵部材の接続部における、いずれか一方の柵部材に設けた、接続方向に長いガイド孔及び上記何れか他方の柵部材に設けた、ガイド孔に通して柵部材同士を結合するスライド軸を接続手段として具備して構成されたフェンス類におけるエキスパンションジョイント装置。【選択図】図１
2014080830.tif 000002
【特許請求の範囲】
【請求項１】
複数の柵部材を接続して構成するフェンス類において、各柵部材に外力が加わり変位を生じたときにこれを吸収し、接続を維持するエキスパンションジョイント装置であって、
第１の設置箇所に設置した第１の支柱及び第２の設置箇所に設置した第２の支柱と、
第１の支柱に取り付けた第１の柵部材、第２の支柱に取り付けた第２の柵部材及び第１の柵部材に一端部にて接続し、第２の柵部材に他端部にて接続した第３の柵部材と、
第１の柵部材と第３の柵部材の接続部、第２の柵部材と第３の柵部材の接続部における、いずれか一方の柵部材に設けた、接続方向に長いガイド孔及び上記何れか他方の柵部材に設けた、ガイド孔に通して柵部材同士を結合するスライド軸を接続手段として具備して構成された
フェンス類におけるエキスパンションジョイント装置。
【請求項２】
第１の柵部材と第３の柵部材及び第２の柵部材と第３の柵部材は、それぞれの接続部にて前後に重なっており、かつ、重なった状態を保って左右方向へ平行移動可能であることにより、第１の柵部材と第３の柵部材及び第２の柵部材が直線性を維持し、また、第１の支柱と第１の柵部材の設置箇所及び第２の支柱と第２の柵部材の設置箇所にて、第１の支柱と第１の柵部材及び第２の支柱と第２の柵部材が水平面と交差する縦軸周りに回転可能な軸継手により取り付けられている
請求項１記載のフェンス類におけるエキスパンションジョイント装置。
【請求項３】
第１の柵部材と第２の柵部材は左右対称的に設けられているとともに、第１の柵部材と第２の柵部材はそれぞれの左右方向に延びる横桟を有しており、接続手段の接続方向に長いガイド孔は、その横桟の長手方向に形成されている
請求項１記載のフェンス類におけるエキスパンションジョイント装置。
【請求項４】
第１の柵部材と第３の柵部材の接続部及び第２の柵部材と第３の柵部材の接続部は、上下二箇所に設けられており、上下二箇所に設けられている上記接続部の全てが、第１の柵部材と第３の柵部材及び第２の柵部材が直線性を維持した平行移動のみを行うために、ガイド孔に通して柵部材同士を結合するスライド軸を具備して構成されている
請求項２記載のフェンス類におけるエキスパンションジョイント装置。
【請求項５】
第１の柵部材と第３の柵部材の接続部及び第２の柵部材と第３の柵部材の接続部は、上下二箇所に設けられており、上下二箇所に設けられている上記接続部の内少なくとも何れか一方が、第１の柵部材と第３の柵部材及び第２の柵部材が直線性を維持した平行移動を行うように構成されている
請求項２又は４記載のフェンス類におけるエキスパンションジョイント装置
【発明の詳細な説明】
【技術分野】
【０００１】
本発明は、複数の柵部材を接続して構成するフェンス類において、各柵部材に外力が加わり変位を生じたときにこれを吸収し、接続を維持するエキスパンションジョイント装置に関するものである。
【背景技術】
【０００２】
隣接した建物の如く構造の異なる建物等に、振動、温度変化、不同沈下（不等沈下）、地震等による外力が作用した場合、上記建物等の間にわたる設備が設けられているときには、当該設備の使用上支障を生じることがある。例えば、隣接した建物同士にわたるフェンスがあり、この部分に地震動が伝わると、一方の建物と他方の建物の振動特性が異なるため、おのおののフェンスに生じる動きが異なり、フェンス同士が相互に干渉し合い、ぶつかりあったり破損したりするという恐れがある。
【０００３】
このような場合、従来は、おのおのの建物にエキスパンションジョイントを挟んで支柱を設置し、その支柱に短いパネル状部材を固定し、パネル状部材間に隙間を作り、変位に対応する方法が取られていた。しかしながら、エキスパンションジョイントを挟んで支柱を設置すると、意匠としての一体感が失われ、設置場所の景観イメージが損なわれるとともに、フェンスとしての機能や防犯機能が弱まるという問題を生じる。
【０００４】
上記の問題に関する先行技術を調査したところ、例えば、特開２００３−２４７２７８号を見出された。これは免震建物のエキスパンション手摺に関するもので、エキスパンション手摺を一般部の手摺の自由丁番によって取り付け、エキスパンション手摺と一般部の手摺を同一構造にしたという構成を有している。しかし、上記構成により景観的な違和感がなくなるとしても、一方の手摺に透明体を張設する必要があるため、透明体のもたらす構造的、意匠的問題も露わとなる。また、エキスパンション手摺を一般部の手摺に片持ちで取り付けることになるので強度が不足し、施工対象が制限されるとも考えられる。
【０００５】
また、特開平９−３１７１１８号は、第一の手摺と第二の手摺とが連結して形成され、第一の手摺は構造物に回動可能に、また、第二の手摺は案内部材に沿って摺動可能に取り付けられ、それぞれの変位の相違を吸収することができる。しかし、第二の手摺は建物に固定されているので、第一の手摺は片持ち構造、かつ、首振り可能に建物に取り付けることになる。このため、前記発明と同様の問題や、図面から判断すると一直線上に配置できないこと、さらには意匠的に違和感を伴うことなどの問題がある。
【０００６】
【特許文献１】特開２００３−２４７２７８号
【特許文献２】特開平９−３１７１１８号
【発明の開示】
【発明が解決しようとする課題】
【０００７】
本発明は前記の実情に鑑みてなされたものであって、その課題は、複数の柵部材を接続して構成するフェンス類において、各柵部材に外力が加わり変位を生じたときにこれを吸収して、接続を維持し得るエキスパンションジョイント装置を提供することである。また、本発明の他の課題は、景観イメージを損なわず、建物を取り巻くように設置されるフェンス類に適し、かつ、防犯機能を弱めることもないエキスパンションジョイント装置を提供することである。
【課題を解決するための手段】
【０００８】
前記の課題を解決するため、本発明は、複数の柵部材を接続して構成するフェンス類において、各柵部材に外力が加わり変位を生じたときにこれを吸収し、接続を維持するエキスパンションジョイント装置について、第１の設置箇所に設置した第１の支柱及び第２の設置箇所に設置した第２の支柱と、第１の支柱に取り付けた第１の柵部材、第２の支柱に取り付けた第２の柵部材及び第１の柵部材に一端部にて接続し、第２の柵部材に他端部にて接続した第３の柵部材と、第１の柵部材と第３の柵部材の接続部、第２の柵部材と第３の柵部材の接続部における、いずれか一方の柵部材に設けた、接続方向に長いガイド孔及び上記何れか他方の柵部材に設けた、ガイド孔に通して柵部材同士を結合するスライド軸を接続手段として具備して構成するという手段を講じたものである。
【０００９】
本発明におけるフェンス類は、複数の柵部材を接続して構成するものであり、具体的には第１の柵部材と第２の柵部材及び第３の柵部材を最小の一組として構成される。第１の柵部材は第１の支柱に取り付けられ、第２の柵部材は第２の支柱に取り付けられる。第１の支柱は第１の設置箇所に設置され、第２の支柱は第２の設置箇所に設置されるが、第１の設置箇所は、例えば、隣接する建物等の一方であり、第２の設置箇所は、例えば、隣接する建物等の他方である。故に、本発明のジョイント装置は、異なる設置箇所（例えば、隣接の建物等）に亘って或いは跨って設置されている、フェンス類に適用する場合に特に適している。
【００１０】
第１の支柱には第１の柵部材を取り付け、第２の支柱には第２の柵部材を取り付け、第３の柵部材は、第１の柵部材に一端部にて接続し、第２の柵部材に他端部にて接続する。つまり、第３の柵部材は第１の柵部材と第２の柵部材をつなぐものである。この第３の柵部材により、第一の柵部材、第二の柵部材に外力が加わり変位を生じたときに、フェンスの接続方向の長さを調節することができる。本発明は、上記調節機能を利用してエキスパンションジョイントを構成することを意図した装置である。
【００１１】
本発明のジョイント装置は、第１の柵部材と第３の柵部材との接続部、第２の柵部材と第３の柵部材との接続部における、いずれか一方の柵部材に設けた、接続方向に長いガイド孔及び上記何れか他方の柵部材に設けた、ガイド孔に通して柵部材同士を結合するスライド軸を接続手段として具備して構成される。上記ガイド孔とスライド軸が、本発明のジョイント装置における上記長さの調節機能を構成するのである。故に、接続手段の接続方向に長いガイド孔は、第１の部材、第２の部材又は第３の部材の長手方向に形成する。
【００１２】
本発明のジョイント装置は、第１の柵部材と第３の柵部材及び第２の柵部材と第３の柵部材が、それぞれの接続部にて前後に重なっており、かつ、重なった状態を保って左右方向へ平行移動可能であることにより、第１の柵部材と第３の柵部材及び第２の柵部材が直線性を維持し、また、第１の支柱と第１の柵部材の設置箇所及び第２の支柱と第２の柵部材の設置箇所にて、第１の支柱と第１の柵部材及び第２の支柱と第２の柵部材が水平面と交差する縦軸周りに回転可能な軸継手により取り付けられている構成を取ることが望ましい。これにより、水平面における変位を吸収することができる。なお、説明の便宜上水平面はＸＹ平面と、また、これと直交する縦軸はＺ軸（又は、上下方向をＺ方向）ということがある。
【００１３】
接続方向に長いガイド孔を有する接続手段において、第１の柵部材と第２の柵部材は左右対称的に設けられているとともに、第１の柵部材と第２の柵部材はそれぞれの左右方向に延びる横桟を有しており、接続手段の接続方向に長いガイド孔は、その横桟の長手方向に形成されているという点は本発明のジョイント装置に望ましい構成である。第１の柵部材と第２の柵部材は左右対称的に設けられていることにより、部品の共通化が図られ、また、設置上の手間を軽減し得る。
【００１４】
第１の柵部材と第３の柵部材の接続部及び第２の柵部材と第３の柵部材の接続部は、上下二箇所に設けられており、上下二箇所に設けられている上記接続部の全てが、第１の柵部材と第３の柵部材及び第２の柵部材が直線性を維持した平行移動のみを行うために、ガイド孔に通して柵部材同士を結合するスライド軸を具備して構成することができる。この場合、水平面における変位を吸収することになる。なお、各接続部において、上下方向の軸部に上下方向へ遊びを設けている場合には、水平面における変位に加えて、上下方向つまり鉛直方向の変位を僅かではあるが吸収することができる。
【発明の効果】
【００１５】
本発明は以上のように構成されているので、フェンス類において、各柵部材に外力が加わり変位を生じたときにこれを吸収して、接続を維持し得るエキスパンションジョイント装置を提供することができる。また、本発明によれば、第１の柵部材と第２の柵部材及び第３の柵部材として同一意匠の選択を妨げる原因がないので、全体として統一ある意匠のエキスパンションジョイント装置が形成され、従って、景観イメージを損なわず、建物を取り巻くように設置されるフェンス類に適し、かつ、柵部材から構成されているので防犯機能を弱めることもないという効果を奏する。
【発明を実施するための最良の形態】
【００１６】
以下に、図示の実施形態を参照して、本発明をより詳細に説明する。図１は本発明に係るフェンス類におけるエキスパンションジョイント装置１０の一例を示すもので、第１の設置箇所１１には第１の支柱１３を設置し、第２の設置箇所１２には第２の支柱１４を設置した状態として図示されている。上記第１の設置箇所１１は、例えば隣接する建物の一方であり、また、第２の設置箇所１２は、例えば隣接する建物の他方であって、間には空間２０があり、従って、第１及び第２の設置箇所１１、１２はそれぞれ独立に振動し得るという状況を想定している。
【００１７】
実施形態における支柱１３、１４は、図２Ｂに示した正面形状のものと、左右対称のものとから成るが、図示のとおり取り付け位置等が左右で相違するものの、備わるべきものは左右で一致している。そこで、この点を念頭において説明すると、図２において、１５は支柱本体、１５ａは支柱支え、１５ｂは支柱基部、１５ｃは支柱頂部をそれぞれ示す。支柱本体１５の上部には、建物部材側取り付け片１６と、ジョイント側取り付け片１７が上下に僅かな差を設けて左右に取り付けられ、支柱下部には、建物部材側取り付け片１８と、ジョイント側取り付け片１９が左右のほぼ同位置に設けられている。上下の各取り付け片１６、１７、１８、１９には、貫通孔から成る取り付け孔１６ａ、１７ａ、１８ａ、１９ａがそれぞれ形成されている。
【００１８】
支柱１３、１４は、支柱頂部１５ｃにおいて忍び返しのように内側に傾斜させてあり、これにより、防犯機能を高めている。本発明のエキスパンションジョイント装置１０は、建物に設置されているフェンスの一部として設置するものであり、建物部材側取り付け片１６、１８の建物側とは、上記の建物に設置されているフェンス側を意味する。従って、ジョイント側取り付け片１７のジョイント側とは、本発明のエキスパンションジョイント装置１０のジョイント部材（本発明の装置におけるフェンス類を構成する複数の柵部材）を意味する。支柱１３、１４は、支柱基部１５ｂにおいて、第１の設置箇所１１及び第２の設置箇所１２の取り付け部１１ａ、１２ａに固定設置される。
【００１９】
本発明のエキスパンションジョイント装置１０における上記ジョイント部材は、第１の柵部材２１、第２の柵部材２２及び第３の柵部材２３から構成されている。便宜上、左側の一方の建物側を第１の柵部材２１とし、右側の他方の建物側を第２の柵部材２２とし、これらの中間に位置するものを第３の柵部材２３とする。第１の柵部材２１と第３の柵部材２３及び第２の柵部材２２と第３の柵部材２３は、それぞれの接続部にて前後に重なっており、かつ、重なった状態を保って左右方向へ平行移動可能である。第１の柵部材２１と第２の柵部材２２は左右対称的に設けられており、従って左右の区別があるだけであるが、ここでは第１の柵部材２１と第２の柵部材２２についてそれぞれ説明する。
【００２０】
図３は第１の柵部材２１を示しており、このものは上下方向の数本の縦桟２４を左右方向に並べ、左右方向に延びる上下の横桟２５Ａ、２５Ｂと交叉状に組み合わせて構成されている。縦桟２４は、直状の本体部分と内方へ傾斜させた頂部２４ａを有しており、前記支柱１３、１４の側面形状と同様の形態から成る。横桟２５Ａ、２５Ｂは、断面形状がＴ字型の型材を上部に、逆Ｔ字型にして下部にそれぞれ配置してあり、上下の横桟２５Ａ、２５Ｂには、接続方向に長いガイド孔２６Ａ、２６Ｂが、接続手段としてそれぞれ長手方向に形成されている。上下の横桟２５Ａ、２５Ｂは、第３の柵部材２３側で、建物側よりもやや長く突き出した突端部２５ｃ、２５ｄを有しており、前記のガイド孔２６Ａ、２６Ｂは、この突端部２５ｃ、２５ｄに及んでいる（図３Ｂ、Ｃ）。
【００２１】
図４は第２の柵部材２２を示しており、上記第１の柵部材２１と対称の形状を有している。すなわち、これも上下方向の数本の縦桟２７を左右方向に並べ、左右方向に延びる上下の横桟２８Ａ、２８Ｂと交叉状に組み合わせて構成されている。縦桟２７は、直状の本体部分と内方へ傾斜させた頂部２７ａを有し前記支柱１３、１４の側面形状と同様の形態から成る。横桟２８Ａ、２８Ｂは、断面形状がＴ字型の型材を上部に、逆Ｔ字型にして下部にそれぞれ配置したもので、上下の横桟２８Ａ、２８Ｂには、接続方向に長いガイド孔２９Ａ、２９Ｂが、接続手段としてそれぞれ長手方向に形成されている。上下の横桟２８Ａ、２８Ｂは、第３の柵部材２３側で、建物側よりもやや長く突き出した突端部２８ｃ、２８ｄを有しており、前記のガイド孔２９Ａ、２９Ｂは、この突端部２８ｃ、２８ｄに及んでいる（図４Ｂ、Ｃ）。
【００２２】
図５は第３の柵部材２３を示しており、これは第１の柵部材２１に一端部にて接続し、第２の柵部材２２に他端部にて接続する。第３の柵部材２３は、左右方向に並べた上下方向の数本の縦桟３１を、左右方向に延びる上下の横桟３２Ａ、３２Ｂと交叉状に組み合わせて構成されている。縦桟３１は、直状の本体部分と内方へ傾斜させた頂部３１ａを有しており、前記支柱１３、１４の側面形状と同様の形態から成る。上部の横桟３２Ａは、Ｉ字型の型材を横にして上部に配置し、下部の横桟３２Ｂは、同型の型材を下部に配置したもので、上下の横桟３２Ａ、３２Ｂには、接続手段としてのスライド軸３３Ａ、３３Ｂ、３４Ａ、３４Ｂがそれぞれ長手方向の左右両端部に設けられる。また、下部の横桟３２Ｂには端部が左右へ突出した助材３１ｂが取り付けられている。助材３１ｂは断面形状がＬ字型のアングル材から成る。
【００２３】
図６、図７により、第１の支柱１３と、第１の柵部材２１との取り付け構成について説明する。支柱１３の側には前記したジョイント側取り付け片１７が取り付けてあり、これを用いて水平面と交差する縦軸周りに回転可能な上下の軸継手３５Ａ、３５Ｂが設けられている。上部軸継手３５Ａは、上記取付け片１７の上面に載置される、第１の柵部材２１の横桟２５Ａの端部に形成された上軸軸受け孔３６と、この軸受け孔３６に軸承される上軸３７とから成り、上軸３７は取付け片１７に溶接により取り付けられ、かつ、抜け止めのキャップ３７ａが設けてある。また、下部軸継手３５Ｂは、上記取付け片１７の上面に載置される、第１の柵部材２１の横桟２５Ｂの端部に形成された下軸軸受け孔３８と、下軸軸受け孔３８に軸承される下軸３９とから成り、下軸３９には抜け止めのキャップ３９ａが取り付けてある。
【００２４】
第２の支柱１４と第２の柵部材２２との取り付け構成については、上記と左右対称であって全く同様に行なわれるので、詳細な説明は繰り返さない。このようにして、第１の支柱１３と第１の柵部材２１及び第２の支柱１４と第２の柵部材２２が、それぞれ水平面（ＸＹ平面）と交差する縦軸（Ｚ軸）周りに回転可能な軸継手３５Ａ、３５Ｂにより取り付けられることになる。すなわち、第１及び第２の設置箇所１１、１２に設置されている第１の支柱１３と第２の支柱１４の箇所にて建物部分のフェンス３０と接続され、地震動等により各柵部材２１、２２、２３に外力が加わり変位を生じたときに、軸継手３５Ａ、３５Ｂにより水平面（ＸＹ平面）における変位が吸収されるという構成である。
【００２５】
次に図８〜図１０を参照し、上記第１の柵部材２１と第３の柵部材２３の接続部４１、第２の柵部材２２と第３の柵部材２３の接続部４２について説明する。図８、図９は第１の柵部材２１と第３の柵部材２３の接続部３５に関するもので、図８が上部、図９が下部である。従って、図中左に第１の柵部材２１が位置し、同右に第３の柵部材２３が位置するとともに、第１の柵部材２１の横桟２５Ａの上位に第３の柵部材２３の横桟３２Ａが載置される位置関係を取る（図８Ｂ、図１０Ａ参照）。第１の柵部材２１の上部横桟２５Ａには接続方向に長い前記のガイド孔２６Ａが形成されている。故に、この例では第１の柵部材２１が一方の部材となり、第３の柵部材２３は他方の部材となるが、その横桟３２Ａの部分に上記ガイド孔２６Ａに通して柵部材同士を結合する、スライド軸３３Ａを具備する。ガイド孔２６Ａとスライド軸３３Ａは、上部接続部４１Ａを構成する。
【００２６】
上記スライド軸３３Ａは下部が角軸、上部がボルトより成る軸で、角軸部分が上部の横桟３２Ａの下側に配置されるように、上面側に突出するボルト３３ｃにナット３３ｄをねじ込んで取り付けられている。スライド軸３３Ａの角軸部分がガイド孔２６Ａにて側壁と係合するので回転止めの機能が果たされる。また、角軸から成るスライド軸３３Ａの下端には抜け止めのキャップ３３ｅがネジ止めされており、従って、第１の柵部材２１と第３の柵部材２３は上部接続部４１Ａにおいて、キャップ３３ｅのフランジ状部に当たるまで僅かながら上下方向（Ｚ方向）へ移動可能になっている。
【００２７】
また、第１の柵部材２１の下部横桟２５Ｂには接続方向に長い前記のガイド孔２６Ｂが形成されており、この部分に下部接続部４１Ｂが設けられている。当然に第１の柵部材２１が一方の部材となり、第３の柵部材２３が他方の部材となるが、第３の柵部材２３は、その横桟３２Ｂの部分に上記ガイド孔２６Ｂに通して部材同士を結合するスライド軸３３Ｂを具備する。ガイド孔２６Ｂとスライド軸３３Ｂは、上部接続部４１Ｂを構成する。
【００２８】
上記スライド軸３３Ｂの構成も上部スライド軸の構成と同じであり、下部が角軸、上部がボルトより成る軸で、角軸部分が下部の横桟３２Ｂの下側に配置されるように、上面側に突出するボルト３３ｃにナット３３ｄをねじ込んで取り付けられている。スライド軸３３Ｂの角軸部分がガイド孔２６Ｂにて側壁と係合するので回転止めの機能が果たされる。また、角軸から成るスライド軸３３Ｂの下端には抜け止めのキャップ３３ｅがネジ止めされており、従って、第１の柵部材２１と第３の柵部材２３は下部接続部４１Ｂにおいて、キャップ３３ｅに当たるまで僅かながら上下方向へ移動可能になっている。下部横桟２５Ｂは逆Ｔ字型の一側辺２５ｃにて、前記の助材３１ｂに接触するように設けられており、第１の柵部材２１と第３の柵部材２３及び第２の柵部材２２の重なり部分に、この接触構成が介在するので、外力が加わっても、第１の柵部材２１と第２の柵部材２２及び第３の柵部材２３の直線性が維持されたまま変位が吸収される。
【００２９】
このように構成された、本発明のフェンス類におけるエキスパンションジョイント装置１０の作用について、図１１〜図１３を参照して説明する。図１１Ａは上部横桟２５Ａ、２８Ａ、３２Ａに関する図、図１１Ｂは下部横桟２５Ｂ、２８Ｂ、３２Ｂに関する図である。第１及び第２の設置箇所１１、１２に外力が作用していない場合、第３の柵部材２３の左右両端部にあるスライド軸３３Ａ、３３Ｂ、３４Ａ、３４Ｂは、それぞれ上下のガイド孔２６Ａ、２６Ｂ、２９Ａ、２９Ｂのほぼ中央に位置するように設定されている。
【００３０】
図１２Ａは上部横桟２５Ａ、２８Ａ、３２Ａに関係する接続部４１Ａ、図１３Ａは下部横桟２５Ｂ、２８Ｂ、３２Ｂに関係する接続部４１Ｂを示している。図１２Ａは、第１の支柱１３に対して、第２の支柱１４が内方（Ｘ方向）へ直線的に移動した状態を示している。従って、本装置１０には圧縮力が加わっており、その結果として、第１及び第２の柵部材２１、２２が接近し、上部横桟２５Ａ、２８Ａ（図１２Ａ）、下部横桟２５Ｂ、２８Ｂ（図１３Ａ）が接近する。それぞれのスライド軸３３Ａ、３４Ａ、３３Ｂ、３４Ｂが、相対的にガイド孔２６Ａ、２６Ｂ、２９Ａ、２９Ｂの外方へ移動した状態となり、このようにして変位が吸収される。
【００３１】
図１２Ｂ、図１３Ｂは、第１の支柱１３に対して、第２の支柱１４が内方（Ｘ方向）へ直線的に移動するとともに、交差方向（Ｙ方向）にも移動した状態を示している。Ｘ方向の移動は前記したとおりの作用により変位が吸収され、また、Ｙ方向の移動は、本発明では、第１の支柱１３に対して、軸継手３５Ａにより、第１の柵部材２１が回転し、かつ、第２の支柱１４に対して、軸継手３５Ｂにより、第２の柵部材２２が回転することで変位を吸収することができる。この作用は、上部横桟２５Ａ、２８Ａ、３２Ａに関係する接続部４１Ａ（図１２Ｂ）、そして、また下部横桟２５Ｂ、２８Ｂ、３２Ｂに関係する接続部４１Ｂ（図１３Ｂ）のどちらにおいても同様になされる。
【００３２】
図１２Ｃ、図１３Ｃでは、第１の支柱１３に対して、第２の支柱１４が外方（Ｘ方向）へ直線的に移動するとともに、交差方向（Ｙ方向）にも移動した状態を示している。Ｘ方向外方の移動は伸長となるが、圧縮に対して方向が逆になるものの前記したのと同様の作用により変位が吸収される。また、Ｙ方向の移動は、前記と同様に第１の支柱１３に対して、軸継手３５Ａにより、第１の柵部材２１が回転し、かつ、第２の支柱１４に対して、軸継手３５Ｂにより、第２の柵部材２２が回転することで変位が吸収されることとなる。この作用が上部横桟２５Ａ、２８Ａ、３２Ａに関係する接続部４１Ａ（図１２Ｃ）、そして、また下部横桟２５Ｂ、２８Ｂ、３２Ｂに関係する接続部４１Ｂ（図１３Ｃ）のどちらにおいても同様になされることも同様である。
【００３３】
本発明は上記のように構成されているので、隣接した建物同士にわたって設けてあるフェンスの部分に地震動が伝わる場合、一方の建物と他方の建物の振動特性が異なり、おのおののフェンスに生じる動きが異なっても、それぞれの建物に設置した第１の部材２１と第２の部材２２との間に第３の部材２３を設けるとともに、それらを接続方向に長いガイド孔２６Ａ、２６Ｂ、２９Ａ、２９Ｂとスライド軸３３Ａ、３３Ｂ、３４Ａ、３４Ｂを用いて結合し、変位を吸収することができる。従って、フェンス同士が相互に干渉し合い、ぶつかりあったり破損したりすることを防止することができ、特に、修理が容易でないとか、修理に危険を伴う高層建築物等のフェンス類におけるエキスパンションジョイント装置として好適であり、変位の吸収によりフェンス自体の損壊も防止可能であるから、損壊の結果、構成部材の落下等による二次災害も効果的に防止される。
【図面の簡単な説明】
【００３４】
【図１】本発明に係るフェンス類におけるエキスパンションジョイント装置の一例を示す正面説明図である。
【図２】同上の装置に用いる支柱を示すもので、Ａは正面図、Ｂは上面図、Ｃは下面図、Ｄは左側面図、Ｅは右側面図である。
【図３】同じく第１の柵部材を示すもので、Ａは正面図、Ｂは上面図、Ｃは下面図、Ｄは右側面図である。
【図４】同じく第２の柵部材を示すもので、Ａは正面図、Ｂは上面図、Ｃは下面図、Ｄは右側面図である。
【図５】同じく第３の柵部材を示すもので、Ａは正面図、Ｂは上面図、Ｃは下面図、Ｄは右側面図である。
【図６】同じく第１の支柱と第１の柵部材の上部の接続部を示すもので、Ａは断面図、Ｂは正面図である。
【図７】同じく第１の支柱と第１の柵部材の下部の接続部を示すもので、Ａは断面図、Ｂは正面図である。
【図８】同じく第１の柵部材と第３の柵部材の上部の接続部を示すもので、Ａは断面図、Ｂは部分拡大図である。
【図９】同じく第１の柵部材と第３の柵部材の下部の接続部の位置関係を示すもので、Ａは断面図、Ｂは部分拡大図である。
【図１０】同じく第１の柵部材と第３の柵部材の下部の接続部を示すもので、Ａは断面図、Ｂは部分拡大図である。
【図１１】本発明に係るフェンス類におけるエキスパンションジョイント装置の作用を示すもので、Ａは変位を生じていない状態の上部接続部の平面図、Ｂは同じ状態の下部接続部の平面図である。
【図１２】同じく作用を示すもので、Ａは圧縮による変位を生じた状態の上部接続部の平面図、Ｂは圧縮によるＸＹ方向の変位を生じた状態の上部接続部の平面図、Ｃは伸長によるＸＹ方向の変位を生じた状態の上部接続部の平面図である。
【図１３】同じく作用を示すもので、Ａは圧縮による変位を生じた状態の下部接続部の平面図、Ｂは圧縮によるＸＹ方向の変位を生じた状態の下部接続部の平面図、Ｃは伸長によるＸＹ方向の変位を生じた状態の下部接続部の平面図である。
【符号の説明】
【００３５】
１０  本発明に係るフェンス類におけるエキスパンションジョイント装置
１１  第１の設置箇所
１２  第２の設置箇所
１３  第１の支柱
１４  第２の支柱
１５  支柱本体
１６、１８  標準部材側取り付け片
１７、１９  ジョイント側取り付け片
２０  空間
２１  第１の柵部材
２２  第２の柵部材
２３  第３の柵部材
２４、２７、３１  縦桟
２５Ａ、２５Ｂ、２８Ａ、２８Ｂ、３２Ａ、３２Ｂ  上部の横桟
２６Ａ、２６Ｂ、２９Ａ、２９Ｂ  ガイド孔
３０  フェンス
３３Ａ、３３Ｂ、３４Ａ、３４Ｂ  スライド軸
３５Ａ、３５Ｂ  軸継手
３６  上軸軸受け孔
３７  上軸
３８  下軸軸受け孔
３９  下軸
【図１】
2014080830.tif 000003
【図２】
2014080830.tif 000004
【図３】
2014080830.tif 000005
【図４】
2014080830.tif 000006
【図５】
2014080830.tif 000007
【図６】
2014080830.tif 000008
【図７】
2014080830.tif 000009
【図８】
2014080830.tif 000010
【図９】
2014080830.tif 000011
【図１０】
2014080830.tif 000012
【図１１】
2014080830.tif 000013
【図１２】
2014080830.tif 000014
【図１３】
2014080830.tif 000015